(57)【要約】【課題】  建造物に設置されたテレビカメラやビデオカメラ等を収容するハウジング前面の球状のクリアードーム窓を傷つけずに清掃できるようにする。【解決手段】  ハウジングの前面に設けられた球面状のクリアードーム窓２を清掃するためのドーム用ワイパー装置であって、ワイパー両端部を前記ハウジングの前記球面状のクリアードーム窓２の中心軸近傍に回転構造を持たせた半円弧状のワイパーアーム３と、前記ワイパーアーム３の内側に前記クリアードーム窓２の曲面に沿って一定の距離を持たせた非接触状態として高圧流体を排出する吐出孔１７を備え、前記ワイパーアーム３の端部より高圧流体を注入して、前記ワイパーアーム３を往復運動作させる駆動手段とを備えて成ることを特徴とするドーム用ワイパー装置。【選択図】        図１
2006198602.tif 000002
【特許請求の範囲】
【請求項１】
ハウジングの前面に設けられた球面状のクリアードーム窓を清掃するためのドーム用ワイパー装置であって、ワイパー両端部を前記ハウジングの前記球面状のクリアードーム窓の中心軸近傍に回転構造を持たせた半円弧状のワイパーアームと、前記ワイパーアームの内側に前記クリアードーム窓の曲面に沿って一定の距離を持たせた非接触状態として高圧流体を排出する吐出孔を備え、前記ワイパーアームの端部より高圧流体を注入して、前記ワイパーアームを往復運動作させる駆動手段とを備えて成ることを特徴とするドーム用ワイパー装置。
【請求項２】
前記ワイパーアームは、前記クリアードーム窓の曲面に沿って往復運動させ、前記ワイパーアームに高圧流体を注入して、前記ワイパーアームの内側より前記クリアードーム窓に排出する高圧流体を、前記ワイパーがクリアードーム窓の端面より動作して、前記ワイパーが球面の頂点に達した位置で、高圧流体の注入を停止し、前記ワイパーが始動した位置と反対の端面に来るまで高圧流体を停止状態として、前記ワイパーが到達した端面より再び動作して、前記ワイパーがクリアードーム窓の頂点に来るまでの間に高圧流体を前記ワイパーの吐出孔から排出することを特徴とする請求項１記載のドーム用ワイパー装置。
【請求項３】
前記ワイパーアームの内側より排出する高圧流体の吐出孔を複数設け、高圧流体を注入する側から、終端となる遠地点に向かって排出する吐出孔の大きさを大きくして、クリアードーム窓にワイパーアームから印加する排出流体の圧力が一定になるようにしたことを特徴とする請求項１記載のドーム用ワイパー装置。
【請求項４】
前記ワイパーアームの内側より排出する高圧流体の吐出孔は、高圧流体を注入する側から、終端となる遠地点に向って連続ないし不連続のスリットであることを特徴とする請求項１または２記載のドーム用ワイパー装置。
【請求項５】
前記ワイパーアームの往復運動させる駆動手段は、時計が作動する２４時間の内の指定した一定時間にワイパーを自動動作させてクリアードーム窓に付着した埃を除去することを特徴とする請求項１記載のドーム用ワイパー装置。
【請求項６】
前記ワイパーアームの往復運動させる駆動手段は、明るさセンサーを備えて、２４時間の昼夜の変化で一定以上の暗さになったらあるいは明るさになった状態を、前記明るさセンサーが検知して、周囲の明るさが前記明るさ変化設定状態になったら、ワイパーを自動動作させてクリアードーム窓に付着した埃を除去することを特徴とする請求項１記載のドーム用ワイパー装置。
【請求項７】
前記ワイパーアームに設けた吐出孔より吐出させる高圧流体は、気体か液体か或は気体と液体とを交互に用いることができるようにしたことを特徴とする請求項１ないし４いずれか記載のドーム用ワイパー装置。
【請求項８】
前記ワイパーアームに設けた吐出孔より吐出させる高圧流体は、液体を気体と混合し、噴霧状態として用いることができるようにしたことを特徴とする請求項１ないし４いずれか記載のドーム用ワイパー装置。
【請求項９】
前記ワイパーアームに設けた吐出孔より吐出させる高圧流体は、ヒータによって加熱され、高温の状態で用いることができるようにしたことを特徴とする請求項１ないし４いずれか記載のドーム用ワイパー装置。
【発明の詳細な説明】
【技術分野】
【０００１】
本発明は、建造物に設置されたテレビカメラやビデオカメラ等を収容するハウジング前面のクリアードーム窓を清掃するためのハウジング用ワイパー、特に、球状のクリアードーム窓を有するハウジングのドーム用ワイパー装置に関する。
【背景技術】
【０００２】
従来、この種のハウジングのドーム用ワイパー装置は、クリアードーム窓をゴムなど清拭するものが知られる（例えば、特許文献１，特許文献２参照。）。
【０００３】
球状のクリアードーム窓を有するドームカメラのハウジング内にカメラ、カメラ制御回路、映像増幅回路、電源回路、その他映像監視に用いられるメカニカルユニットと電子回路を収納した監視カメラは、屋外、特に路上に設けられているので、カメラの映像を透過させるクリアードーム窓の表面には、経時変化で埃がついたり、降雨の時に水滴がついたりした。したがって、それらを除去するために、監視カメラの監視制御室より、ドームカメラのワイパーを動作させると、モーターが回転してモーターギヤーがワイパーアームを回転させるアームギヤーが伝動して、ワイパーアームのゴム等で構成されている埃除去をするワイパー部材がクリアードーム窓の上を、摩擦で埃や降雨の際の水滴を取り除く動作をして、クリアードーム窓をクリアーにして映像を明瞭に撮像できるようにしていた。
【特許文献１】特開平１０−２１６０４９号公報
【特許文献２】特開平１０−２１６６６６号公報
【発明の開示】
【発明が解決しようとする課題】
【０００４】
しかしながら、このような従来のドーム形状のクリアードーム窓をクリアーにするための構造では、ワイパー部材が直接的にクリアードーム窓を摩擦して清掃するために、クリアードーム窓に傷が発生し、その傷の中に埃が入るとワイパー部材では除去できなくなり、ワイパーの回動で一時的にはクリアーになるが、クリアードーム窓に付いた傷や部材の磨耗により長時間の動作に問題が発生する。
【０００５】
あるいはドームの周囲から空気を噴射して清掃する提案もされているが、クリアードーム窓の球状面に対して効果的に埃や降雨の水滴を除去しないといった問題もあった。
【０００６】
本発明は、この問題を解決するために、クリアードーム窓にワイパーアームを、ワイパー構造と同じ構造で回転させるが、前記ワイパーアームの部材は、非接触として、ワイパーアームの吐出孔を多数の連続した孔形状のみならず、連続ないしは不連続のスリット形状として、空気や水などの圧縮流体を近接した位置よりクリアードーム窓に噴射して、非接触でクリアードーム窓に付着した埃や、降雨の水滴を取り除くことの出来るドーム用ワイパー装置の提案をするものである。
【課題を解決するための手段】
【０００７】
以下に、本発明の技術的構成を示す。この技術的構成によって上記課題を解決できるものである。
【０００８】
（１）ハウジングの前面に設けられた球面状のクリアードーム窓を清掃するためのドーム用ワイパー装置であって、ワイパー両端部を前記ハウジングの前記球面状のクリアードーム窓の中心軸近傍に回転構造を持たせた半円弧状のワイパーアームと、前記ワイパーアームの内側に前記クリアードーム窓の曲面に沿って一定の距離を持たせた非接触状態として高圧流体を排出する吐出孔を備え、前記ワイパーアームの端部より高圧流体を注入して、前記ワイパーアームを往復運動作させる駆動手段とを備えて成ることを特徴とするドーム用ワイパー装置。
【０００９】
（２）前記ワイパーアームは、前記クリアードーム窓の曲面に沿って往復運動させ、前記ワイパーアームに高圧流体を注入して、前記ワイパーアームの内側より前記クリアードーム窓に排出する高圧流体を、前記ワイパーがクリアードーム窓の端面より動作して、前記ワイパーが球面の頂点に達した位置で、高圧流体の注入を停止し、前記ワイパーが始動した位置と反対の端面に来るまで高圧流体を停止状態として、前記ワイパーが到達した端面より再び動作して、前記ワイパーがクリアードーム窓の頂点に来るまでの間に高圧流体を前記ワイパーの吐出孔から排出することを特徴とする前記（１）記載のドーム用ワイパー装置。
【００１０】
（３）前記ワイパーアームの内側より排出する高圧流体の吐出孔を複数設け、高圧流体を注入する側から、終端となる遠地点に向かって排出する吐出孔の大きさを大きくして、クリアードーム窓にワイパーアームから印加する排出流体の圧力が一定になるようにしたことを特徴とする前記（１）記載のドーム用ワイパー装置。
【００１１】
（４）前記ワイパーアームの内側より排出する高圧流体の吐出孔は、高圧流体を注入する側から、終端となる遠地点に向って連続ないし不連続のスリットであることを特徴とする前記（１）または（２）記載のドーム用ワイパー装置。
【００１２】
（５）前記ワイパーアームの往復運動させる駆動手段は、時計が作動する２４時間の内の指定した一定時間にワイパーを自動動作させてクリアードーム窓に付着した埃を除去することを特徴とする前記（１）記載のドーム用ワイパー装置。
【００１３】
（６）前記ワイパーアームの往復運動させる駆動手段は、明るさセンサーを備えて、２４時間の昼夜の変化で一定以上の暗さになったらあるいは明るさになった状態を、前記明るさセンサーが検知して、周囲の明るさが前記明るさ変化設定状態になったら、ワイパーを自動動作させてクリアードーム窓に付着した埃を除去することを特徴とする前記（１）記載のドーム用ワイパー装置。
【００１４】
（７）前記ワイパーアームに設けた吐出孔より吐出させる高圧流体は、気体か液体か或は気体と液体とを交互に用いることができるようにしたことを特徴とする前記（１）ないし（４）いずれか記載のドーム用ワイパー装置。
【００１５】
（８）前記ワイパーアームに設けた吐出孔より吐出させる高圧流体は、液体を気体と混合し、噴霧状態として用いることができるようにしたことを特徴とする前記（１）ないし（４）いずれか記載のドーム用ワイパー装置。
【００１６】
（９）前記ワイパーアームに設けた吐出孔より吐出させる高圧流体は、ヒータによって加熱され、高温の状態で用いることができるようにしたことを特徴とする前記（１）ないし（４）いずれか記載のドーム用ワイパー装置。
【発明の効果】
【００１７】
本発明は、監視カメラ等に使用するドーム型カメラの外観を構成する透明の球状ガラスや樹脂で構成されたクリアードーム窓に付着した埃や水滴を、球状のクリアードーム窓を回動するワイパーに備えた吐出孔を連続した孔形状とするのみならず、連続または不連続のスリットから噴射する高圧流体流で除去し、またドーム型監視カメラが高所に取りつけられても、定期的に動作させることで常にクリアーな状態を維持することができ、さらに、埃や水滴が多い季節や地域においては設定条件により定期的にワイパーを回動させてクリアードーム窓を清潔に保ち、雪積や気温の低下によりクリアードーム窓の外部が氷結しても高温の流体流で除去すると共に、内部の曇りも除去することが可能であり、カメラの撮像性能の劣化を最小限とすることができる。
【発明を実施するための最良の形態】
【００１８】
以下本発明を実施するための最良の形態を、実施例により詳しく説明する。
【実施例】
【００１９】
以下に、本発明の一実施の形態を図１，図２，図３，図４および図８について説明する。この実施の形態は、テレビカメラやビデオカメラを設置したドームカメラのハウジングに一体的に組み込んだ構成を示したものである。
【００２０】
図１は、ドーム用ワイパー装置をドーム窓に組み込んだ状態の正面図、図２はワイパーアームに設けた吐出口より圧縮空気を排出させてその空気圧でクリアードーム窓に付着した埃を排除する状態を示す要部の拡大説明側面図、図３はその右側面図、図４はその左側面図、図８は駆動手段などの制御回路図である。
【００２１】
なお、この実施形態では、高圧流体として気体の空気を用いてある。
【００２２】
なお、図８はワイパーアーム３とコンプレッサー６を駆動する制御回路の一実施例の系統図で、マイクロスイッチ１２ａと１２ｂはワイパーアーム３のプッシュ軸１１に押されるとＯＮ信号をデジタル信号変換回路に入力し、ＯＮ信号とプッシュ軸１１が押してないときのＯＦＦ信号をデジタル信号としてＣＰＵ２１に入力し、あらかじめインストールしたソフトウェアーによりモーター１０の駆動回路２０とコンプレッサー６の駆動回路６ｂに動作指示を出力する回路を構成する。
【００２３】
またＣＰＵ２１には制御の基本となるタイマー２２とソフトや動作を記憶するメモリー２９が接続される。
【００２４】
これらの図において、ドームカバー１の前面には、球面状の窓部であるクリアードーム窓２が設けられ、このドームカバー１とクリアードーム窓２によりハウジングが形成され、内部のカメラ部・映像増幅回路・コンピュータを主体とした制御回路、カメラを動かす機械装置等を保護している。
【００２５】
空気を排出する空気導４は、クリアードーム窓２の曲面に沿う円弧面を有して、半円弧状のワイパーアーム３の内側に設けられている。
【００２６】
ワイパーアーム３は、ドームカバー１のクリアードーム窓２の中心軸近傍に設けられたアーム軸５ａ及び５ｂに回動可能に設けられている。
【００２７】
ワイパーアーム３の一端部には、アームギヤー７が設けられ、モーターギヤー９に噛み合っている。モーターギヤー９は、ドームカバー１の内部に設けられた駆動モーター１０のモーター軸８に固定されている。
【００２８】
ワイパーアーム３の一方の他端部には、プッシュ軸１１が固定され、ドームカバー１のワイパーアーム３が回動する軌跡の左右両側位置には、マイクロスイッチ１２ａと１２ｂが取りつけられて、前記プッシュ軸１１により開閉操作させている。
【００２９】
空気を圧縮するコンプレッサー６はドームカバー内に設けられてパイプ６ａより圧縮空気を空気導４に導き、多数穿った吐出孔１７よりクリアードーム窓２に高圧空気流１５を発生させて埃１４や水滴１４ａを取り除く。
【００３０】
以上のように構成されたドーム用ワイパー装置について、図１から図５および図８を用いて説明する。
【００３１】
図３において、駆動モーター１０が反時計廻り方向に回転すると、モーターギヤー９も同方向に回転する。これに連動してアームギヤー７が時計回り方向に回転すると共に、ワイパーアーム３が時計回り方向に回転する（図４は反対側から見ているので反時計回り方向になる。）。
【００３２】
ワイパーアーム３に固定されている空気導４には、コンプレッサー６よりパイプ６ａを通じて圧縮空気が送られ、ワイパーアーム３はクリアードーム窓２を回動すると、クリアードーム窓に付着している埃１４や降雨による水滴１４ａを球面全体から除去することが出来る。
【００３３】
次に、ワイパーアーム３が位置３ａから位置３ｂそして位置３ｃとクリアードーム窓２をほぼ半回転すると、図５に示すようにプッシュ軸１１が左側のマイクスイッチ１２ａのスイッチを押すことにより、図８の回路図に示すように、スイッチ信号のＯＮ信号を４ｂｉｔあるいは８ｂｉｔ等のデジタル信号に変換するデジタル信号変換回路２７によりデジタル信号とされた信号がＣＰＵ２１に入力して、反転信号をモーター駆動回路２０に指示してモーター１０の回転を反転させて、ワィパーアーム３が３ｃから３ｂそして３ａに回動して、ブッシュ軸１１が右側のマイクロスィッチ１２ｂを押してＯＮ信号を出力して、前記した動作と過程を経てモーター１０の回転を反転させる。
【００３４】
以上のようにワイパーアーム３がクリアードーム窓２の上を回動するときに空気導４に設けられた複数の吐出孔１７からの高圧空気流１５が隙間無く球面を清掃するので、非接触で清掃を保つことができる。
【００３５】
図２，図４，図５，図８にて空気導４からの圧縮空気を吐出孔１７からのクリアードーム窓２に噴射する高圧空気流１５の制御について説明する。
【００３６】
まず、図４においてワイパーアーム３に固定した空気導４の吐出孔１７からクリアードーム窓２に、ワイパーアーム３が位置３ａから３ｂ及び３ｃに回動して行くときに、位置３ｂから３ｃの区間は埃１４を上部に向って除去するように動作するために、効果的に除去できないことがある。そこで、図５に示すように、ワイパーアーム３を回動するときにワイパーアーム３がスタートの位置３ａから回動が終了する３ｃに到達するまでの時間ｈを、及び位置３ｃから位置３ａまで回動する時間ｈを、ワイパーアーム３のプッシュ軸１１がマイクロスイッチ１２ａと１２ｂをＯＮする時間をＣＰＵ２１が測定して、モーター１０が一定の角速度でワイパーアーム３を回動させていれば、時間ｈの中間時間１／２ｈの時間位置が位置３ｂとしてＣＰＵ２１のメモリー２９が記憶する。
【００３７】
次に、図５の表に示すように位置３ａよりコンプレッサー６が動作するＯＮ区間３ａ−ｂとして、また、位置３ｃからのＯＮ区間３ｃ−ｂとして、その区間はコンプレッサー６が動作する指示をＣＰＵ２１にプログラムして空気をクリアードーム窓２に高圧空気流１５を噴射する。一方コンプレッサー６の動作を停止させるＯＦＦ区間３ｂ−ｃとＯＦＦ区間３ｂ−ａはＣＰＵ２１のプログラムによりコンプレッサー６を停止するようにする。
【００３８】
以上のように構成すると、通常本構成の監視カメラは天井や天面より、クリアードーム窓２を地表あるいは床に向けて取りつけてあるために、ワイパーアーム３が位置３ａから位置３ｂに向けて動作する状態の上部から下部に向かって埃１４や水滴１４ａを除去するように動作し、位置３ｂから位置３ｃの下部から上部に向かっていくときは埃１４や水滴１４ａの排除効率がわるいので高圧空気流１５をクリアードーム窓２に噴射しない構成として効果的にクリアードーム窓２の清拭ができるようにする。
【００３９】
次に図６、図７にて空気の噴射量を一定にする構成について説明する。
【００４０】
コンプレッサー６が圧縮し空気をパイプ６ａから空気導４に出力するが、説明を分かりやすくするために、空気導４はワイパーアーム３に沿った曲線であるが直線に展開した空気導４ａと４ｂとして説明する。
【００４１】
空気導４に設けた吐出孔１７を同じ径とすると、空気導４内の空気流に対する内部抵抗や曲線のために、各吐出孔１７からの高圧空気流１５はその噴射出力が平均せずに空気の噴射量１６ａ＞１６ｂ＞１６ｃ＞１６ｄ＞１６ｎの様に強いところと弱いところが発生する。
【００４２】
クリアードーム窓２に印加する高圧空気流１５の強さが異なると、球面体の場所によって清掃能力にむらが発生するので、空気導４の吐出孔１７からの高圧空気流１５の出力に対応した吐出孔１７とするために、吐出孔１９ａ，１９ｂ，１９ｃ，１９ｄ，１９ｎの各吐出孔により空気の圧力の強弱に対応して、弱い位置にある吐出孔１７の径を大きくして、高圧空気流１５の圧力の強いところの吐出孔１７を小さくする構成とすると、空気の流出量１８ａ≒１８ｂ≒１８ｃ≒１８ｄ≒１８ｎとほぼ平均化することが出来る。
【００４３】
以上のようにワイパーアーム３に取りつけた空気導４に備えた吐出孔１７からクリアードーム窓２の球面体に高圧空気流１５を噴射して埃１４や水滴１４ａを取り除くことができるので、クリアードーム窓２の表面より埃１４や水滴１４ａを平均した高圧空気流１５で清掃することができる。
【００４４】
次に、図８と図１０に示すように、定期的にクリアードーム窓２の清掃をして、埃１４や水滴１４ａが恒久的に付着しないようにして、映像の撮像効果を劣化させないようにするために、ＣＰＵ２１の動作基準となるタイマー２２の時間信号から定期的にワイパーアーム３を回動させる。
【００４５】
例えば時間ａ．２５ａとなる時間をＣＰＵ２１にワイパーアーム３の起動とコンプレッサー６の駆動回路６ｂに起動信号を出力してクリアードーム窓２の清掃を設定した時間に行うようにする。
【００４６】
また、埃１４や水滴１４ａが多い環境では、回動する時間ｂ．２５ｂを設定して、あるいはもっと短時間の時間を設定して、２４時間内で２回の設定や、さらに複数の動作設定を行うことができる。
【００４７】
以上の設定でクリアードーム窓２を常にクリーンに保持することができる。
【００４８】
次に、図８と図１０に示すように、クリアードーム窓２内に設置場所の明るさを検知する明るさセンサー２３を備えて、設置場所の明るさが明るさ変化２６ｃのように変化するときに、明るさセンサー２３の信号の明るさレベルからデジタル信号に変化するデジタル信号変換回路２４の出力をＣＰＵ２１に入力して、ＣＰＵ２１内に明るさレベルを設定レベル２５ｃとしてワイパーアーム３が動作する動作点２６ａと２６ｂのポイントで自動的に回動して清掃するように設定できる。
【００４９】
また、ワイパーアーム３の動作ポイントを最も暗いポイントで動作させたり、明るいポイントで動作させたりすることがＣＰＵ２１に組み込むソフトあるいは監視カメラの制御信号にて行うことが出来る。
【００５０】
以上のようにカメラを設置している環境の明るさの変化から自動的にワイパーを動作させることで、監視カメラとして使用頻度が最小の明るさのポイントを選択する動作や、最も明るいときの動作設定をして、クリアードーム窓２をクリーンに保ち撮像効果を劣化させない様にできる。
【００５１】
処で、上述の実施例において、ドーム形状のクリアードーム窓をクリアーにするために、複数の吐出孔から空気を噴出させながらワイパーアームを往復動作させるため、隣り合う吐出孔とその間に圧力差が生じ、埃や水滴の拭き残しが発生する。この為、十分クリアーな映像が撮像できないという問題が予測される。
【００５２】
そこで、図１２（ａ），（ｂ）および図１３に示すように、ワイパーアーム３の空気導４ｃ，４ｄにスリット１７Ａ，１７Ｂを穿つことにより、上述の問題点を解決できた。このスリット１７Ａは、図１２では連続スリット構成であるが、図１３のように、途中に不連続部ｘを設けて不連続スリット１７Ｂの構成とすることもできる。これにより、ワイパーアーム３のスリットより空気や水などの高圧流体を噴出しつつ、クリアードーム上を往復動作させ、埃や水滴の拭き残しのないクリアーな映像をもたらすことのできるドーム用ワイパー装置の提案をするものである。なお、スリット１７Ｂの不連続部ｘは、半円弧状に屈曲したワイパーアーム３の補強機能を奏するものである。
【００５３】
以上は、ワイパー構成がクリアードーム窓に一体的に組み込まれた構成を示しているが、図１１に示すように、ドームカバー１に新たな組み込む構成としても実施できる。
【００５４】
前述した形態のワイパーアーム３の半円弧状の両端を、クリアードーム窓２のドームカバー１の両端に支持部３０，３０を設け、この支持部３０，３０とワイパーアーム３の両側を回転支持するアダプター３１，３１と重ね合わせてビスなどで固定すると共に、駆動および制御用の電気機器Ｐは一方のアダプター３１に、高圧流体を取り入れる小タンクＱの他のアダプター３１を介して外部のコンプレッサーなどとパイプを介して接続すれば、簡単に組み込むことができる。
【００５５】
そして、アダプター３１の高圧流体の流路内には、加熱用のヒータＨを設けて置き、氷結時や雪積時に高圧流体を加熱して温流体として、吐出孔１７，スリット１７Ａ，１７Ｂより吐出させて、クリアードーム窓の曇りをなくして透明性を高めることができる。
【００５６】
以上のように、本発明の実施形態によれば、屋外や室内の高所に設置された、本発明の構造を用いたドーム型監視カメラ等で、一度設置したら足場を組んで清掃をするような位置に設置されて、容易にクリアードーム窓の清掃が出来ない状況であっても、遠隔から、あるいは内部のＣＰＵに設定した条件で、自動的にクリアードーム窓の表面を清掃できるので、常にクリアーなクリアードーム窓とすることができた。
【００５７】
特にクリアードーム窓の清掃を高圧空気流で、近接した位置から行えるので、空気圧力をそれほど高める必要がないので空気コンプレッサーも小形にして清掃しやすくすることができ、さらに重要なのはクリアードーム窓を傷を付けないで清掃できるという特徴と、内部のＣＰＵでワイパー位置による清掃位置の設定や、時間間隔を設置される環境に合わせた条件の清掃や、明るさにより動作する対応が出来る。
【００５８】
また、降雨の時や、特に埃の多いときは監視カメラの制御システムからＣＰＵに動作指示をして、任意の時にワイパーを動作することができる。
【００５９】
なお、以上の実施の形態では、高圧流体として圧縮空気を用いたが、同様に水などによる高圧液体や噴霧流体などを用いることもできる。さらに圧縮空気と併用し、雨上がりで汚れがひどい場合は、高圧液体を吹き付けて汚れを流出させ、その後、圧縮空気として併用もできる。
【００６０】
この場合、高圧液体と圧縮空気との駆動を切替えるか各別に設置する必要がある。
【図面の簡単な説明】
【００６１】
【図１】本発明の一実施例を示すドーム用ワイパー装置の説明側面図
【図２】図１の要部の拡大説明側面図
【図３】図１の右側面図
【図４】図１の左側面図
【図５】ワイパーアームの動作検知図
【図６】（ａ）（ｂ）ワイパーアームの吐出口の大きさを同一にして直線状に展開した正面図と側面図
【図７】（ａ）（ｂ）ワイパーアームの吐出口の大きさを変えて直線状に展開した正面図と側面図
【図８】本発明に係るドーム用ワイパー装置の制御用回路図
【図９】ワイパーアームの時間設定で動作させるための経時グラフ
【図１０】ドーム型カメラを設定した周囲の明るさで動作を行う明るさセンサーのグラフ
【図１１】本発明の他の実施の形態を示すものでドーム型ワイパー装置をクリアードームに後付けできる状態の側面図
【図１２】（ａ）（ｂ）ワイパーアームの吐出孔をスリットとした場合の、ワイパーアームを直線状に展開した正面図と側面図
【図１３】図１２の変形例を示す一部の正面図
【符号の説明】
【００６２】
１    ドームカバー
２    クリアードーム窓
３    ワイパーアーム
４    空気導
４ａ，４ｂ，４ｃ，４ｄ    空気導
５ａ，５ｂ  アーム軸
６    コンプレッサー
６ａ  パイプ
６ｂ  駆動回路
７    アームギヤー
８    モーター軸
９    モーターギヤー
１０    モーター、駆動モーター
１１    プッシュ軸
１２ａ，１２ｂ    マイクロスイッチ
１３    ワイパーアーム動作検知
１４    埃
１４ａ  水滴
１５    高圧空気流、高圧流体
１６ａ〜１６ｎ    高圧空気流、高圧流体
１７    吐出孔
１７Ａ，１７Ｂ  スリット
１８ａ〜１８ｎ    高圧空気流、高圧流体
１９ａ〜１９ｎ    吐出孔
２０    モーター駆動回路
２１    ＣＰＵ
２２    タイマー
２３    明るさセンサー
２４    デジタル信号変換回路
２５    時間設定
２６    明るさ検知
２７    デジタル信号変換回路
２８    デジタル信号変換回路
２９    メモリー
３０    支持部
３１    アダプター
Ｈ    ヒータ
Ｐ    電気機器
Ｑ    小タンク
【図１】
2006198602.tif 000003
【図２】
2006198602.tif 000004
【図３】
2006198602.tif 000005
【図４】
2006198602.tif 000006
【図５】
2006198602.tif 000007
【図６】
2006198602.tif 000008
【図７】
2006198602.tif 000009
【図８】
2006198602.tif 000010
【図９】
2006198602.tif 000011
【図１０】
2006198602.tif 000012
【図１１】
2006198602.tif 000013
【図１２】
2006198602.tif 000014
【図１３】
2006198602.tif 000015